(57)【特許請求の範囲】
【請求項１】
液化ガスを収容するタンクと、このタンク内の上記液化ガスを外部に送出する電動ポンプと、それ自体の駆動輪に回転力を与えるエンジンと、そのエンジンに直列に接続され上記駆動輪に回転力を与える発電機能付き動力モータと、その発電機能付き動力モータで発電した電気を蓄電する機能および上記発電機能付き動力モータに電力を供給する機能を有する電池とを備えた液化ガス輸送用車両であって、上記電動ポンプを駆動するための電源を、上記電池と別に搭載したことを特徴とする液化ガス輸送用車両。
【請求項２】
上記電源が、蓄電池およびキャパシタの少なくとも一方である請求項１記載の液化ガス輸送用車両。
【請求項３】
上記電源への電力供給が、上記液化ガス輸送用車両に搭載されたエンジンを利用して駆動される発電機能付き動力モータ、および上記液化ガス輸送用車両の外部に設けられた充電器のいずれか一方によって行われる請求項１記載の液化ガス輸送用車両。
【請求項４】
上記液化ガス輸送用車両自体が、駆動力と、上記タンクを搭載した荷台とを有する請求項１〜３のいずれか一項に記載の液化ガス輸送用車両。
【請求項５】
上記液化ガス輸送用車両が、駆動力を有する牽引車と、この牽引車に牽引される、駆動力を有さない台車と、この台車に載置された、上記タンクを収容したコンテナとからなり、上記電動ポンプが上記台車に搭載され、上記電源が上記牽引車または上記コンテナに搭載されている請求項１〜３のいずれか一項に記載の液化ガス輸送用車両。
【発明の詳細な説明】
【技術分野】
【０００１】
本発明は、液化天然ガス等の液化ガスを輸送するタンクローリ等の液化ガス輸送用車両に関するものである。
【背景技術】
【０００２】
液体窒素，液体酸素，液体アルゴン，液化天然ガス（ＬＮＧ），液化石油ガス（ＬＰＧ）等の液化ガスは、その液化ガスを製造する製造所から、その液化ガスを必要とする企業等の需要者まで、様々な輸送手段で輸送される。その輸送手段の一つとして、例えば、タンクローリ等の液化ガス輸送用車両があげられる。その液化ガス輸送用車両は、図１５（ａ）に示すように、液化ガスを収容するタンクＴと、このタンクＴ内の液化ガスを外部に送出する電動ポンプＰとを備えている。その電動ポンプＰは、ポンプ本体Ｐ0 と、そのポンプ本体Ｐ0 を駆動する駆動モータＭ0 とからなっている。なお、図１５（ａ）において、符号Ｅは、駆動輪（タイヤ）Ｗに回転力を与えるエンジン、符号Ｇは、そのエンジンＥの動力を利用して駆動する発電機（オルタネータ）、符号Ｂ0 は、その発電機（オルタネータＧ）と電気的に接続され（図の破線１参照）、その発電機（オルタネータＧ）で発電した電気を蓄電する鉛蓄電池（バッテリ）である。
【０００３】
また、このような、エンジンＥのみで駆動する上記液化ガス輸送用車両の他に、最近では、図１５（ｂ）に示すような、プラグインハイブリッドを採用する液化ガス輸送用車両も提案されている。このものは、エンジンＥと動力モータＭ1 とが直列に接続され、そのいずれかまたは両方の動力により、駆動輪（タイヤ）Ｗに回転力を与えるようになっている。上記動力モータＭ1 は、リチウムイオン二次電池Ｂ1 と電気的に接続され（図の破線２参照）、そのリチウムイオン二次電池Ｂ1 からの電力により回転駆動するようになっている。また、上記動力モータＭ1 が駆動輪（タイヤ）Ｗに回転力を与えていない状態でも、その動力モータＭ1 は、エンジンＥの回転を利用して回転しており、その回転により、発電するようになっている（発電機として作用する）。さらに、ブレーキ時でも、上記動力モータＭ1 は、回生エネルギーを得るよう発電する（発電機として作用する）ようになっている。そして、それらにより発電した電気は、上記リチウムイオン二次電池Ｂ1 に蓄電されるようになっている。なお、液化ガスを収容するタンクＴおよびこのタンクＴ内の液化ガスを外部に送出する電動ポンプＰは、図１５（ａ）に示す上記液化ガス輸送用車両と同様である。
【０００４】
上記液化ガス輸送用車両による液化ガスの輸送は、つぎのようにして行われる。すなわち、まず、上記製造所において、製造された液化ガスを上記液化ガス輸送用車両のタンクＴに充填する。ついで、その液化ガス輸送用車両を上記需要者（企業等）が所有する貯蔵所まで走行させる。その後、その貯蔵所において、上記電動ポンプＰの駆動モータＭ0 と、その貯蔵所に備えられている電源（交流電源）２０とを電気的に接続し〔図１５（ａ），（ｂ）に示す一点鎖線２１参照〕、上記電動ポンプＰを駆動させ（例えば、特許文献１の図２参照）、上記液化ガス輸送用車両のタンクＴ内の液化ガスを送出し、上記貯蔵所の貯蔵タンクに移す。このようにして、液化ガスの輸送が完了する。
【０００５】
一方、上記液化ガス輸送用車両として、上記電動ポンプＰを備えていないもの（加圧式のもの）も、従来より用いられている。この液化ガス輸送用車両でのタンクＴ内の液化ガスの送出は、そのタンクＴ内の圧力を上げ、上記貯蔵所の貯蔵タンク内の圧力を下げ、両者の圧力差を利用して行われる。そして、その送出を終えた後は、液化ガス輸送用車両のタンクＴ内の圧力を元の状態（大気圧程度）に下げ、上記貯蔵所の貯蔵タンク内の圧力を元の状態に上げることが行われる。
【先行技術文献】
【特許文献】
【０００６】
【特許文献１】特開２００７−２３７８７７号公報
【発明の概要】
【発明が解決しようとする課題】
【０００７】
しかしながら、貯蔵所によっては、上記電動ポンプＰを駆動させるのに充分な電力が得られない場合がある。すなわち、貯蔵所に、そもそも電源２０が備えられていなかったり、電源２０が備えられていたとしても、電力が他の用途に使用されているために上記電動ポンプＰの駆動に不充分であったり、停電や天災等により電源２０を利用することができなかったりする場合があるからである。そのような場合、上記電動ポンプＰを備えた液化ガス輸送用車両では、タンクＴ内の液化ガスを送出することができず、上記貯蔵所の貯蔵タンクに移すことができない。
【０００８】
一方、上記電動ポンプＰを備えていない（加圧式の）液化ガス輸送用車両では、上記のように、タンクＴ内の液化ガスを送出するのに外部からの電力が不要であるため、上記貯蔵所において電力を確保することができなくても、上記タンクＴ内の液化ガスを上記貯蔵所の貯蔵タンクに移すことができる。しかしながら、上記のように、タンクＴ内の液化ガスを送出す際に、そのタンクＴ内の圧力を上げ、その送出を終えた後は、そのタンクＴ内の圧力を下げる必要があるため、その送出完了に時間を要する。しかも、上記タンクＴ内の圧力を上げる必要性から、その昇圧に耐えるよう上記タンクＴの周壁を厚くする必要がある。そのため、上記タンクＴの重量が増加し、その分、そのタンクＴ内に収容できる液化ガスの量が少なくなり（車両による輸送では積載重量に規制がある）、輸送効率の点で劣る。また、上記液化ガスを送出している時間は、上記貯蔵所の貯蔵タンク内の圧力を下げる必要があるため、その貯蔵タンクから液化ガスの供給を受けることができない。その液化ガスの供給を止められない場合には、切り換え用の貯蔵タンクを別に追加する必要がある。
【０００９】
本発明は、このような事情に鑑みなされたもので、液化ガス輸送用車両で輸送された液化ガスを貯蔵する貯蔵所において電力を確保することができなくても、上記液化ガス輸送用車両自体に搭載された電動ポンプを利用して液化ガスを上記貯蔵所の貯蔵タンクに移すことができ、また、搭載する液化ガス収容タンクや上記貯蔵タンクの内圧を昇降する必要のない液化ガス輸送用車両の提供をその目的とする。
【課題を解決するための手段】
【００１０】
上記の目的を達成するため、本発明の液化ガス輸送用車両は、液化ガスを収容するタンクと、このタンク内の上記液化ガスを外部に送出する電動ポンプと、それ自体の駆動輪に回転力を与えるエンジンと、そのエンジンに直列に接続され上記駆動輪に回転力を与える発電機能付き動力モータと、その発電機能付き動力モータで発電した電気を蓄電する機能および上記発電機能付き動力モータに電力を供給する機能を有する電池とを備えた液化ガス輸送用車両であって、上記電動ポンプを駆動するための電源を、上記電池と別に搭載したという構成をとる。
【発明の効果】
【００１１】
本発明の液化ガス輸送用車両は、電動ポンプ駆動用の電源を搭載しているため、その電源を利用して電動ポンプを駆動させ、タンク内の液化ガスを送出することができる。これにより、貯蔵所において電力を確保することができなくても、輸送された液化ガスを、上記貯蔵所の貯蔵タンクに移すことができる。また、上記電動ポンプを備えていなかった従来の加圧式のものに、上記電動ポンプと上記電源とを搭載すると、上記のように、上記電源を利用して上記電動ポンプを駆動させ、上記タンク内の液化ガスを送出することができるようになるため、液化ガスを収容する上記タンクや上記貯蔵所の貯蔵タンクの内圧を昇降する必要がない。そのため、上記液化ガスの送出に要する時間を短縮することができる。また、上記液化ガスを送出している時間でも、上記需要者（企業等）の貯蔵タンク内の圧力を下げる必要がなく、その貯蔵タンクから液化ガスを供給することもでき、切り換え用の貯蔵タンクを追加する必要もない。
【００１２】
特に、上記電源が、蓄電池およびキャパシタの少なくとも一方である場合には、液化ガスの製造所等に設けた充電器や液化ガス輸送用車両に搭載された発電機（オルタネータ）等から、上記電源に充電することができる。
【００１３】
また、上記電源への電力供給が、上記液化ガス輸送用車両に搭載されたエンジンを利用して駆動される発電機能付き動力モータ、および上記液化ガス輸送用車両の外部に設けられた充電器のいずれか一方によって行われる場合には、走行中に上記発電機能付き動力モータから、停車中に液化ガスの製造所等に設けた上記充電器から、上記電源に充電することができる。
【図面の簡単な説明】
【００１４】
【図１】本発明の液化ガス輸送用車両の第１参考形態を模式的に示す説明図である。
【図２】本発明の液化ガス輸送用車両の第２参考形態を模式的に示す説明図である。
【図３】本発明の液化ガス輸送用車両の第１の実施の形態を模式的に示す説明図である。
【図４】本発明の液化ガス輸送用車両の第３参考形態を模式的に示す説明図である。
【図５】本発明の液化ガス輸送用車両の第４参考形態を模式的に示す説明図である。
【図６】本発明の液化ガス輸送用車両の第５参考形態を模式的に示す説明図である。
【図７】本発明の液化ガス輸送用車両の第６参考形態を模式的に示す説明図である。
【図８】本発明の液化ガス輸送用車両の第２の実施の形態を模式的に示す説明図である。
【図９】本発明の液化ガス輸送用車両の第３の実施の形態を模式的に示す説明図である。
【図１０】本発明の液化ガス輸送用車両の第７参考形態を模式的に示す説明図である。
【図１１】本発明の液化ガス輸送用車両の第８参考形態を模式的に示す説明図である。
【図１２】本発明の液化ガス輸送用車両の第４の実施の形態を模式的に示す説明図である。
【図１３】本発明の液化ガス輸送用車両の第９参考形態を模式的に示す説明図である。
【図１４】本発明の液化ガス輸送用車両の第５の実施の形態を模式的に示す説明図である。
【図１５】従来の液化ガス輸送用車両を模式的に示す説明図であり、（ａ）はエンジン駆動車両を示し、（ｂ）はプラグインハイブリッド車両を示している。
【発明を実施するための形態】
【００１５】
つぎに、本発明の実施の形態を図面にもとづいて詳しく説明する。
【００１６】
図１は、本発明の液化ガス輸送用車両の第１参考形態を示している。この参考形態の液化ガス輸送用車両は、図１５（ａ）に示す従来の液化ガス輸送用車両に、既設の電動ポンプＰを駆動させるための電源としてリチウムイオン二次電池Ｂ2 を搭載し、既設の発電機（オルタネータＧ）に電気的に接続した（図の破線３参照）ものである。また、上記リチウムイオン二次電池Ｂ2 は直流電源であるのに対し、上記既設の電動ポンプＰの駆動モータＭ0 は、交流電源用であるため、上記リチウムイオン二次電池Ｂ2 と上記電動ポンプＰの駆動モータＭ0 との間に、インバータを含む制御装置Ｃを設け、その制御装置Ｃを上記リチウムイオン二次電池Ｂ2 と上記電動ポンプＰの駆動モータＭ0 とに電気的に接続している（図の破線４，５参照）。それ以外の部分は、図１５（ａ）に示す従来の液化ガス輸送用車両と同様であり、同様の部分には同じ符号を付している。なお、この参考形態の液化ガス輸送用車両は、それ自体が、駆動力（駆動輪Ｗ）と、液化ガス収容タンクＴを搭載した荷台Ｎとを有するものである。
【００１７】
この第１参考形態の液化ガス輸送用車両による液化ガスの輸送方法の一例について説明する。この例では、液化天然ガス等の液化ガスを製造する製造所に、予め、電気自動車用の充電器１０を設置しておく。そして、まず、上記製造所において、製造された液化ガスを上記液化ガス輸送用車両のタンクＴに充填するとともに、上記充電器１０で上記リチウムイオン二次電池Ｂ2 を充電する（図の二点鎖線１１参照）。ついで、その液化ガス輸送用車両を上記液化ガスの需要者（企業等）が所有する貯蔵所まで走行させる。この走行中において、上記発電機（オルタネータＧ）で発電された電気を、上記既設の鉛蓄電池（バッテリ）Ｂ0 および上記リチウムイオン二次電池Ｂ2 に蓄電する。その後、その貯蔵所において、上記リチウムイオン二次電池Ｂ2 の電力により上記電動ポンプＰを駆動させ、上記液化ガス輸送用車両のタンクＴ内の液化ガスを送出し、上記貯蔵所の貯蔵タンクに移す。このようにして、液化ガスの輸送が完了する。
【００１８】
このように、この第１参考形態の液化ガス輸送用車両では、上記貯蔵所の電源２０〔図１５（ａ）参照〕を利用することなく、この車両自体に搭載した上記リチウムイオン二次電池Ｂ2 の電力を利用して、輸送してきた液化ガスを上記貯蔵所の貯蔵タンクに移すことができる。なお、上記リチウムイオン二次電池Ｂ2 は、上記製造所での充電器１０による充電と、走行中での発電機（オルタネータＧ）の発電による蓄電との両方により、充電率を１００％にすることが好ましい。
【００１９】
より詳しく説明すると、上記リチウムイオン二次電池Ｂ2 としては、例えば、電気自動車用のもの（例えば、ＧＳユアサ社製のＬＥＶ５０）等があげられる。
【００２０】
上記リチウムイオン二次電池Ｂ2 を充電する充電器１０としては、例えば、電気自動車用のもの等があげられ、急速充電器（例えば、高砂製作所社製のＴＱＶＣ５００Ｍ３またはＴＱＶＣ２００Ｍ３）でもよいし、普通の充電速度の普通充電器でもよい。
【００２１】
上記制御装置Ｃのインバータとしては、例えば、一般産業用のもの等があげられる。
【００２２】
上記既設の電動ポンプＰの駆動モータＭ0 は、上記液化ガス輸送用車両のタンクＴの容量に応じて、７．５〜３０ｋＷ程度のものが用いられており、例えば、東芝社製のＦＣＫＬＷ２１等があげられる。
【００２３】
図２は、本発明の液化ガス輸送用車両の第２参考形態を示している。この参考形態の液化ガス輸送用車両は、図１に示す第１参考形態の液化ガス輸送用車両において、既設の鉛蓄電池（バッテリ）Ｂ0 を取り外し、発電機（オルタネータＧ）で発電された電気を上記リチウムイオン二次電池Ｂ2 のみに蓄電するようにしたものである。それ以外の部分は、上記第１参考形態と同様であり、同様の部分には同じ符号を付している。
【００２４】
そして、液化ガスの輸送については、この第２参考形態においても、上記第１参考形態と同様、上記貯蔵所において、上記電動ポンプＰの駆動に上記リチウムイオン二次電池Ｂ2 の電力が利用され、上記貯蔵所の電源２０〔図１５（ａ）参照〕を利用することなく、輸送してきた液化ガスを上記貯蔵所の貯蔵タンクに移すことができる。
【００２５】
図３は、本発明の液化ガス輸送用車両の第１の実施の形態を示している。この実施の形態の液化ガス輸送用車両は、図１５（ｂ）に示すプラグインハイブリッドを採用する液化ガス輸送用車両に、既設の電動ポンプＰを駆動させるための電源として第２のリチウムイオン二次電池Ｂ2 を搭載するとともに、その第２のリチウムイオン二次電池Ｂ2 に既設の発電機（動力モータＭ1 ）を電気的に接続した（図の破線６参照）ものである。なお、駆動輪（タイヤ）Ｗに回転力を与える動力モータＭ1 用の既設の（第１の）リチウムイオン二次電池Ｂ1 も、上記電動ポンプＰ用の第２のリチウムイオン二次電池Ｂ2 も、前記電気自動車用のもの（例えば、ＧＳユアサ社製のＬＥＶ５０）等が用いられる。
【００２６】
そして、この第１の実施の形態の液化ガス輸送用車両による液化ガスの輸送方法の一例としては、まず、上記製造所において、製造された液化ガスを上記液化ガス輸送用車両のタンクＴに充填するとともに、上記充電器１０で上記第１および第２のリチウムイオン二次電池Ｂ1 ，Ｂ2 を充電する（図の二点鎖線１１参照）。ついで、その液化ガス輸送用車両を上記液化ガスの需要者（企業等）が所有する貯蔵所まで走行させ、この走行中に、上記発電機（動力モータＭ1 ）で発電された電気を、上記第１および第２のリチウムイオン二次電池Ｂ1 ，Ｂ2 に蓄電する。その後、その貯蔵所において、上記第２のリチウムイオン二次電池Ｂ2 からの電力により上記電動ポンプＰを駆動させ、上記液化ガス輸送用車両のタンクＴ内の液化ガスを送出し、上記貯蔵所の貯蔵タンクに移す。このようにして、液化ガスの輸送が完了する。
【００２７】
このように、この第１の実施の形態においても、上記貯蔵所の電源２０〔図１５（ｂ）参照〕を利用することなく、搭載した上記第２のリチウムイオン二次電池Ｂ2 の電力を利用して、輸送してきた液化ガスを上記貯蔵所の貯蔵タンクに移すことができる。なお、上記第２のリチウムイオン二次電池Ｂ2 は、上記製造所での充電器１０による充電と、走行中での発電機（動力モータＭ1 ）の発電による蓄電との両方により、充電率を１００％にすることが好ましい。
【００２８】
図４は、本発明の液化ガス輸送用車両の第３参考形態を示している。この参考形態の液化ガス輸送用車両は、図３に示す第１の実施の形態の液化ガス輸送用車両において、既設の第１のリチウムイオン二次電池Ｂ1 を取り外し、発電機（動力モータＭ1 ）で発電された電気を上記第２のリチウムイオン二次電池Ｂ2 のみに蓄電するようにしたものである。それ以外の部分は、上記第１の実施の形態と同様であり、同様の部分には同じ符号を付している。
【００２９】
そして、液化ガスの輸送については、この第３参考形態においても、上記第１の実施の形態と同様、上記貯蔵所において、上記電動ポンプＰの駆動に上記第２のリチウムイオン二次電池Ｂ2 の電力が利用され、上記貯蔵所の電源２０〔図１５（ｂ）参照〕を利用することなく、輸送してきた液化ガスを上記貯蔵所の貯蔵タンクに移すことができる。
【００３０】
図５は、本発明の液化ガス輸送用車両の第４参考形態を示している。この参考形態の液化ガス輸送用車両は、エンジンＥおよび駆動力（駆動輪Ｗ）を有するトラクタヘッド（牽引車）Ｋと、このトラクタヘッドＫに牽引される、駆動力を有さないトレーラシャシ（台車）Ｄと、このトレーラシャシＤに載置された、上記タンクＴおよび上記電動ポンプＰを収容したコンテナＳとを備えた従来の液化ガス輸送用車両に、その電動ポンプＰの電源となる上記リチウムイオン二次電池Ｂ2 を上記コンテナＳに搭載したものである。それ以外の部分は、上記第１参考形態と同様であり、同様の部分には同じ符号を付している。そして、上記第１参考形態と同様の作用・効果を奏する。
【００３１】
図６は、本発明の液化ガス輸送用車両の第５参考形態を示している。この参考形態の液化ガス輸送用車両は、図５に示す第４参考形態の液化ガス輸送用車両において、上記リチウムイオン二次電池Ｂ2 を上記トラクタヘッドＫに搭載したものである。それ以外の部分は、上記第４参考形態と同様であり、同様の部分には同じ符号を付している。そして、上記第４参考形態と同様の作用・効果を奏する。
【００３２】
図７は、本発明の液化ガス輸送用車両の第６参考形態を示している。この参考形態の液化ガス輸送用車両は、図６に示す第５参考形態の液化ガス輸送用車両において、既設の鉛蓄電池（バッテリ）Ｂ0 を取り外し、発電機（オルタネータＧ）で発電された電気を上記リチウムイオン二次電池Ｂ2 のみに蓄電するようにしたものである。それ以外の部分は、上記第５参考形態と同様であり、同様の部分には同じ符号を付している。
【００３３】
図８は、本発明の液化ガス輸送用車両の第２の実施の形態を示している。この実施の形態の液化ガス輸送用車両は、プラグインハイブリッドを採用する液化ガス輸送用車両であり、エンジンＥ，動力モータＭ1 ，動力モータＭ1 用の既設の（第１の）リチウムイオン二次電池Ｂ1 および駆動力（駆動輪Ｗ）を有するトラクタヘッドＫと、このトラクタヘッドＫに牽引される、駆動力を有さないトレーラシャシＤと、このトレーラシャシＤに載置された、上記タンクＴおよび上記電動ポンプＰを収容したコンテナＳとを備えた液化ガス輸送用車両に、その電動ポンプＰの電源となる（第２の）リチウムイオン二次電池Ｂ2 を上記コンテナＳに搭載するとともに、その第２のリチウムイオン二次電池Ｂ2 に既設の発電機（動力モータＭ1 ）を電気的に接続したものである。それ以外の部分は、上記第１の実施の形態と同様であり、同様の部分には同じ符号を付している。そして、上記第１の実施の形態と同様の作用・効果を奏する。
【００３４】
図９は、本発明の液化ガス輸送用車両の第３の実施の形態を示している。この実施の形態の液化ガス輸送用車両は、図８に示す第２の実施の形態の液化ガス輸送用車両において、上記リチウムイオン二次電池Ｂ2 を上記トラクタヘッドＫに搭載したものである。それ以外の部分は、上記第２の実施の形態と同様であり、同様の部分には同じ符号を付している。そして、上記第２の実施の形態と同様の作用・効果を奏する。
【００３５】
図１０は、本発明の液化ガス輸送用車両の第７参考形態を示している。この参考形態の液化ガス輸送用車両は、図９に示す第３の実施の形態の液化ガス輸送用車両において、既設の第１のリチウムイオン二次電池Ｂ1 を取り外し、発電機（動力モータＭ1 ）で発電された電気を上記第２のリチウムイオン二次電池Ｂ2 のみに蓄電するようにしたものである。それ以外の部分は、上記第３の実施の形態と同様であり、同様の部分には同じ符号を付している。
【００３６】
図１１は、本発明の液化ガス輸送用車両の第８参考形態を示している。この参考形態の液化ガス輸送用車両は、図１５（ａ）に示す従来の液化ガス輸送用車両に、既設の電動ポンプＰを駆動させるための電源としてリチウムイオン二次電池Ｂ2 を搭載したものである〔すなわち、図１に示す第１参考形態において、上記リチウムイオン二次電池Ｂ2 と既設の発電機（オルタネータＧ）とを電気的に接続していないものである〕。それ以外の部分は、図１５（ａ）に示す従来の液化ガス輸送用車両と同様であり、同様の部分には同じ符号を付している。
【００３７】
そして、液化ガスの輸送については、まず、上記第１参考形態と同様、上記製造所において、製造された液化ガスを上記液化ガス輸送用車両のタンクＴに充填するとともに、上記充電器１０で上記リチウムイオン二次電池Ｂ2 を充電する（図の二点鎖線１１参照）。そして、上記貯蔵所において、上記電動ポンプＰの駆動に上記リチウムイオン二次電池Ｂ2 の電力が利用され、上記貯蔵所の電源２０〔図１５（ａ）参照〕を利用することなく、輸送してきた液化ガスを上記貯蔵所の貯蔵タンクに移すことができる。
【００３８】
図１２は、本発明の液化ガス輸送用車両の第４の実施の形態を示している。この実施の形態の液化ガス輸送用車両は、図１５（ｂ）に示す従来の液化ガス輸送用車両に、既設の電動ポンプＰを駆動させるための電源として第２のリチウムイオン二次電池Ｂ2 を搭載したものである〔すなわち、図３に示す第１の実施の形態において、上記第２のリチウムイオン二次電池Ｂ2 と既設の発電機（動力モータＭ1 ）とを電気的に接続していないものである〕。それ以外の部分は、図１５（ｂ）に示す従来の液化ガス輸送用車両と同様であり、同様の部分には同じ符号を付している。
【００３９】
そして、液化ガスの輸送については、まず、上記第１の実施の形態と同様、上記製造所において、製造された液化ガスを上記液化ガス輸送用車両のタンクＴに充填するとともに、上記充電器１０で上記第１および第２のリチウムイオン二次電池Ｂ1 ，Ｂ2 を充電する（図の二点鎖線１１参照）。そして、上記貯蔵所において、上記電動ポンプＰの駆動に上記第２のリチウムイオン二次電池Ｂ2 の電力が利用され、上記貯蔵所の電源２０〔図１５（ａ）参照〕を利用することなく、輸送してきた液化ガスを上記貯蔵所の貯蔵タンクに移すことができる。
【００４０】
図１３は、本発明の液化ガス輸送用車両の第９参考形態を示している。この参考形態の液化ガス輸送用車両は、図５に示す第４参考形態において、リチウムイオン二次電池Ｂ2 と既設の発電機（オルタネータＧ）とを電気的に接続していないものである（すなわち、従来のトレーラ型の液化ガス輸送用車両に、既設の電動ポンプＰを駆動させるための電源として上記リチウムイオン二次電池Ｂ2 を搭載したものである）。それ以外の部分は、上記第４参考形態と同様であり、同様の部分には同じ符号を付している。そして、上記第８参考形態と同様にして、液化ガスの輸送を行うことができる。
【００４１】
図１４は、本発明の液化ガス輸送用車両の第５の実施の形態を示している。この実施の形態の液化ガス輸送用車両は、図８に示す第２の実施の形態において、第２のリチウムイオン二次電池Ｂ2 と既設の発電機（動力モータＭ1 ）とを電気的に接続していないものである（すなわち、プラグインハイブリッドを採用するトレーラ型の液化ガス輸送用車両に、既設の電動ポンプＰを駆動させるための電源として上記第２のリチウムイオン二次電池Ｂ2 を搭載したものである）。それ以外の部分は、上記第２の実施の形態と同様であり、同様の部分には同じ符号を付している。そして、上記第４の実施の形態と同様にして、液化ガスの輸送を行うことができる。
【００４２】
なお、上記各実施の形態および各参考形態では、電動ポンプＰの電源として、リチウムイオン二次電池Ｂ2 を用いたが、充電も放電も可能なものであれば、他の電源でもよく、例えば、ニッケル水素二次電池を用いてもよいし、キャパシタを用いてもよいし、それら二次電池とキャパシタの両方を併用してもよい。
【００４３】
また、上記各実施の形態および各参考形態では、電動ポンプＰの駆動モータＭ0 として、既設の交流電源用のものを用いたが、その駆動モータＭ0 の電源としてリチウムイオン二次電池（直流電源）Ｂ2 を利用することから、その駆動モータＭ0 を直流電源用のものに換えてもよい。この場合、駆動モータＭ0 に電気的に接続されている制御装置Ｃに、交流・直流変換器は不要となる。そして、上記直流電源用の駆動モータＭ0 としては、例えば、明電舎社製のＹＣＤ２２１／１０１，ＹＣＤ２２１／２３１，またはピューズ社製のＬＷ１５等があげられる。
【００４４】
さらに、上記各実施の形態および各参考形態では、液化ガスの製造所に、リチウムイオン二次電池Ｂ2 を充電するための充電器１０を設置したが、設置しなくてもよい。その場合は、走行中における発電機（オルタネータＧ，動力モータＭ1 ）での発電により、上記リチウムイオン二次電池Ｂ2 を充電するようにする。
【００４５】
また、上記第２の実施の形態および第４参考形態では、電動ポンプＰの電源となるリチウムイオン二次電池Ｂ2 をコンテナＳに搭載し、上記第３の実施の形態および第５，第６参考形態では、そのリチウムイオン二次電池Ｂ2 をトラクタヘッドＫに搭載したが、それら第２，第３の実施の形態および第４〜第６参考形態では、上記リチウムイオン二次電池Ｂ2 をトレーラシャシＤに搭載してもよい。
【００４６】
つぎに、実施例について説明する。但し、本発明は、実施例に限定されるわけではない。
【実施例】
【００４７】
〔参考例１〕
〔液化ガス輸送用車両〕
日野自動車社製のエンジン駆動のトラック（２０トン車）に、容量１３０００リットルのタンクと、電動ポンプ（駆動モータ：東芝社製、ＦＣＫＬＷ２１）とを備えた従来の液化ガス輸送用車両に、図１に示す第１参考形態と同様にして、上記電動ポンプ用の電源としてリチウムイオン二次電池（ＧＳユアサ社製、ＬＥＶ５０）およびインバータを含む制御装置を搭載した。
【００４８】
〔液化ガスの輸送〕
液化天然ガスを製造する製造所において、製造された液化天然ガスを上記液化ガス輸送用車両のタンクに充填するとともに、急速充電器（高砂製作所社製、ＴＱＶＣ５００Ｍ３）で上記リチウムイオン二次電池を、充電率が８０％となるよう充電した。ついで、その液化ガス輸送用車両を需要者の貯蔵所まで３００ｋｍ走行させた。この走行中に、上記液化ガス輸送用車両に既設の発電機（オルタネータ）の発電により、上記リチウムイオン二次電池は充電され、充電率が１００％となった。その後、上記貯蔵所において、上記リチウムイオン二次電池の電力により上記電動ポンプを駆動させ、上記液化ガス輸送用車両のタンク内の液化ガスを送出し、上記貯蔵所の貯蔵タンクに移すことができた。この輸送完了時における上記リチウムイオン二次電池の充電率は２０％であった。
【００４９】
〔参考例２〕
また、上記参考例１において、既設の鉛蓄電池（バッテリ）を取り外し、上記発電機（オルタネータ）で発電された電気を上記リチウムイオン二次電池のみに蓄電するようにした（図２に示す第２参考形態参照）。このような液化ガス輸送用車両を用いて、上記参考例１と同様にして液化ガスを輸送した。その結果、上記電動ポンプの駆動に、上記貯蔵所の電源を利用するのではなく、上記リチウムイオン二次電池の電力を利用して、輸送してきた液化ガスを上記貯蔵所のタンクに移すことができた。また、上記液化ガス輸送用車両のタンクから上記貯蔵所の貯蔵タンクに移すのに、約７０分の時間を要したが、従来の加圧式の場合の約９０分よりも時間を短縮できた。
【産業上の利用可能性】
【００５０】
本発明は、輸送先の貯蔵所での電源確保を心配することなく、液化ガスを輸送することのできる液化ガス輸送用車両に利用することができる。
【符号の説明】
【００５１】
Ｂ2   リチウムイオン二次電池
Ｐ  電動ポンプ
Ｔ  タンク
【図１】
0005902523.tif 000002
【図２】
0005902523.tif 000003
【図３】
0005902523.tif 000004
【図４】
0005902523.tif 000005
【図５】
0005902523.tif 000006
【図６】
0005902523.tif 000007
【図７】
0005902523.tif 000008
【図８】
0005902523.tif 000009
【図９】
0005902523.tif 000010
【図１０】
0005902523.tif 000011
【図１１】
0005902523.tif 000012
【図１２】
0005902523.tif 000013
【図１３】
0005902523.tif 000014
【図１４】
0005902523.tif 000015
【図１５】
0005902523.tif 000016